(57)【要約】      （修正有）【課題】ゴルフティーを容易に装着することができ、ゴルフティーが破損したときに容易に新しいゴルフティーに取替が可能なゴルフティー装着用紐を提供する。【解決手段】可撓性及び弾力性を有する紐部材２の両端部を輪状に折り返し、折り返した紐部材２の先端部４を紐部材２の本体部７と溶着し、ゴルフ用ティーを挿着可能な大きさのリング部５、６を形成し、リング部５、６にゴルフ用ティーを着脱自在に挿着できるように構成する。【選択図】図１
0003198886.tif 000002
【実用新案登録請求の範囲】
【請求項１】
可撓性及び弾力性を有する紐部材の両端部を輪状に折り返し、前記折り返した前記紐部材の先端部を該紐部材の本体部と溶着し、ゴルフ用ティーを挿着可能な大きさのリング部を形成し、該リング部にゴルフ用ティーを着脱自在に挿着できるように構成する
ことを特徴とするゴルフティー装着用紐。
【請求項２】
請求項１に記載のゴルフティー装着用紐において、
前記紐体は、塩化ビニル又はオレフィン系樹脂によって構成してなるものである
ことを特徴とするゴルフティー装着用紐。
【請求項３】
請求項１又は２に記載のゴルフティー装着用紐において、
前記紐体の両端部形成されるリング部のうち、一端側のリング部にはロングティーを挿着し、他端側のリング部にはショートティーを挿着する
ことを特徴とするゴルフ用ティー装着用紐。
【請求項４】
請求項３に記載のゴルフティー装着用紐において、
前記紐体の前記一端側のリング部と前記他端側のリング部との間にグリーンフォークを移動自在に挿着する
ことを特徴とするゴルフティー装着用紐。
【考案の詳細な説明】
【技術分野】
【０００１】
本考案は、ゴルフティーを挿着するゴルフティー装着用紐に係り、特に紐部材に装着されているゴルフティーから別のゴルフティーに取り替えるのに容易なゴルフティー装着用紐に関する。
【背景技術】
【０００２】
ゴルフティーは、ゴルファーがティーグランドでセットアップするときに使用し、その後、ゴルファーがドライバー等のクラブでティーショットを行う。このティーショットの際に、ティーアップしたゴルフボールと共にゴルフティーは強打され、吹き飛ばされる。
この吹き飛ばされたゴルフティーは、そのまま捨てることはなく、通常、ゴルファーは、ゴルフティー探しを行っている。このゴルフティー探しの時間が長く掛かれば係るほど全体のゲーム時間に影響が出る。このため、従来より、ティーグランドでティーアップするゴルフティーがドライバーショットなどで紛失することがないようにゴルフティーに紐を付けて探しやすくする工夫がなされている。
【０００３】
このようなゴルフティーの改良が行われる中、ゴルフティーに関しては、ある一定の規定が定められて規制されている。
ゴルフティーに関しては、
ａ）球を地面から高く置くためにデザインされたもの 
ｂ）４インチ（１０１．６ｍｍ）以下の長さ 
ｃ）プレーの線を示したり、球の動きに影響を与えかねないデザインや作りであってはならない
と規則で定められており、この規定に違反するゴルフティーを用いてプレイした場合、ゴルフ競技が失格となります。 
【０００４】
しかしながら、複数のゴルフティーや、グリーンフォークを紐で繋げたゴルフティーを使用すること自体は、規定に抵触するものではない。このため、従来からゴルフティーの飛散を防止方法として、ティーアップしたゴルフティーに紐を付けておいて、このゴルフティーと同じ形状の他のゴルフティーと結んで、
もう他方のゴルフティーをティーグランドに突き刺して双方を地面に埋め込み、ティーアップしたゴルフティーが、ゴルフボールの打球によって飛散しても、他方のゴルフティーによって残留させるようにしてゴルフティーの紛失を防止する方法が提案されている（特許文献１）。
【０００５】
また、ゴルフ用ティーを、ティー本体と保持具とによって構成し、保持具にゴムのように弾性を有する材料を使用して、内形がティー本体の軸部の外形にフィットする筒状体に形成する。そして、この保持具には、その上端部の外周の一部に環状の係止部が一体的に形成し、２つの保持具のそれぞれの係止部を索条によって相互に連結し、この２つの保持具にゴルフティーを係止部に索条を通して両者の係止部間を索条によって相互に連結するものがある。そして、この２つの保持具のそれぞれにゴルフティーを着脱自在に装着して２つのゴルフティーを繋ぐものが提案されている（特許文献２）。
繋がれる２つのゴルフティーのそれぞれは、一方の長さが標準的な長さを有するか、あるいはロングティーと称される軸部の長いもので、他方はショートティーと称される軸部の短いものが装着されている。
【先行技術文献】
【特許文献】
【０００６】
【特許文献１】特開２００７−５４６５８号公報
【特許文献２】実開平５−８８５７０号公報
【考案の概要】
【考案が解決しようとする課題】
【０００７】
ところで、特許文献１にあっては、ティーアップするゴルフティーと同じ形状のゴルフティーを２本用意し、２本とも根元部分に紐を通す穴を開け、お互いを丈夫な細い紐で繋ぎ合わせて構成されている。このように、ゴルフティーに紐を通す穴を開けるため、ドライバーなどのゴルフクラブで強打された際にゴルフクラブの衝撃によってゴルフティーが折れてしまうことがあるという問題点を有している。
また、特許文献１にあっては、２つのゴルフティーを穴に紐を通して紐を結び付けるようになっているため、ゴルフティーが破損したときに新しいゴルフティーを取り付けるのに結び目を解いて取り付けなければならず手間が掛かるという問題点を有している。
【０００８】
一方、特許文献２にあっては、筒状体に形成する保持具にゴルフティーを挿着し、保持具の上端部の外周の一部に形成される環状の係止部を索条によって相互に連結して、２つのゴルフティーを繋ぐようになっている。このようにゴルフティーを筒状体に形成する保持具へ挿着するだけとなっているため、持ち運んでいる最中にゴルフティーが保持具から外れてしまうという問題点を有している。
また、特許文献２では、索条の中間部にグリーンフォークを係止するようになっており、グリーンフォークの位置が固定されているため、グリーンフォークの取付位置を２つの保持具から略等間隔に置く必要があり、保持具を連結する索条が長くなり、プレイの最中ポケット等に入れて持ち運びに不便であるという問題点を有している。
【０００９】
本考案は、上記した事情に鑑みてなされたもので、ゴルフティーを容易に装着することができ、ゴルフティーが破損したときに新しいゴルフティーに容易に取替が可能なゴルフティー装着用紐を提供することを目的とする。
【課題を解決するための手段】
【００１０】
上記課題を解決するためになされた請求項１記載の本考案のゴルフティー装着用紐は、可撓性及び弾力性を有する紐部材の両端部を輪状に折り返し、前記折り返した前記紐部材の先端部を該紐部材の本体部と溶着し、ゴルフ用ティーを挿着可能な大きさのリング部を形成し、該リング部にゴルフ用ティーを着脱自在に挿着できるように構成することを特徴とする。
【００１１】
請求項２記載の本考案のゴルフティー装着用紐は、請求項１に記載のゴルフティー装着用紐において、前記紐体は、塩化ビニル又はオレフィン系樹脂によって構成してなるものであることを特徴とする。
【００１２】
請求項３記載の本考案のゴルフティー装着用紐は、請求項１又は２に記載のゴルフティー装着用紐において、前記紐体の両端部形成されるリング部のうち、一端側のリング部にはロングティーを挿着し、他端側のリング部にはショートティーを挿着することを特徴とする。
【００１３】
請求項４記載の本考案のゴルフティー装着用紐は、請求項３に記載のゴルフティー装着用紐において、前記紐体の前記一端側のリング部と前記他端側のリング部との間にグリーンフォークを移動自在に挿着することを特徴とする。
【考案の効果】
【００１４】
本願請求項１に記載の考案によれば、ゴルフティーを容易に装着することができ、ゴルフティーが破損したときに新しいゴルフティーに取替を容易に行うことができる。
【００１５】
本願請求項２に記載の考案によれば、ゴルフティーを容易に装着することができ、ゴルフティーが破損したときに新しいゴルフティーに取替を容易に行うことができる。
【００１６】
本願請求項３に記載の考案によれば、ゴルファーにとって使い勝手を良くすることができる。
【００１７】
本願請求項４に記載の考案によれば、２つのゴルフティーの間を結ぶ紐部材の長さを短くすることができる。
【図面の簡単な説明】
【００１８】
【図１】本考案に係るゴルフティー装着用紐の全体構成斜視図である。
【図２】図１に示すゴルフティー装着用紐のリング部にロングティーを挿着する開始の状態を示す図である。
【図３】図１に示すゴルフティー装着用紐のリング部にロングティーを挿着する完成の状態を示す図である。
【図４】図１に示すゴルフティー装着用紐のリング部にショートティーを挿着する開始の状態を示す図である。
【図５】図１に示すゴルフティー装着用紐のリング部にショートティーを挿着する完成の状態を示す図である。
【図６】図１に示すゴルフティー装着用紐にグリーンフォークを装着する開始の状態を示す図である。
【図７】図１に示すゴルフティー装着用紐にグリーンフォークを装着し終わった状態を示す図である。
【図８】図１に示すゴルフティー装着用紐の両端のリング部にロングティーとショートティーを装着し、グリーンフォークを移動可能に取り付けた状態を示す図である。
【考案を実施するための形態】
【００１９】
以下、図面を参照しながら本考案の実施例について詳細に説明する。
図１には、本考案に係るゴルフティー装着用紐の実施例が示されている。
【００２０】
図１において、１は、ゴルフティー装着用紐を示している。ゴルフティー装着用紐１は、可撓性及び弾力性を有する１本の紐部材２からなっている。
紐部材２は、１本の中実の紐によって長尺に形成されており、ゴム、合成樹脂、特に塩化ビニル又はオレフィン系樹脂によって構成されている。この紐部材２の長さについては、特に制限はないが、プレイヤーがポケットに入れて持ち運ぶのに邪魔にならない程度の長さになっている。
また、紐部材２の太さは、ゴルフティーを装着してゴルファーなどで強打してゴルフティーが飛ばした際に、所定回数強打しても引き千切れることが無いような径になっている。
【００２１】
この紐部材２に用いる材料について説明する。
ゴムには、小さな力で大きな伸び縮みをする性質をもつ物質のことで、天然ゴムと、合成ゴムがある。紐部材２に用いる材料としては、小さな力で大きな伸び縮みをするゴムは、適したものではない。
塩化ビニル樹脂（ＰＶＣ）は、塩化ビニル（クロロエチレン）の重合体からなる熱可塑性樹脂で、成形加工時の熱安定性は悪いが耐水性、耐薬品性、電気絶縁性、難燃性、耐候性に優れた性質を有している。一般には、可塑剤、安定剤、充填材などの補助材料を加え成形加工される。この可塑剤の混入度によって軟質、硬質に分けられ、本実施例におけるゴルフティー装着用紐１の紐部材２には、どちらを用いても問題はない。
【００２２】
オレフィン系樹脂は、二重結合を１箇もった鎖状炭化水素の総称で、結晶高分子からなるため結晶化度により物性が変化する。この系統の樹脂として、ポリエチレン（ＰＥ）、ポリプロピレンがある。オレフィン系樹脂は、一般的に比重が小さく、耐薬品性が良く、射出流動性も優れているが、成形収縮率が大きいという欠点を有している。本実施例におけるゴルフティー装着用紐１には、特段問題を有することはない。ポリエチレン（ＰＥ）、ポリプロピレン（ＰＰ）など、適したものとなっている。
【００２３】
ポリエチレン（ＰＥ）は、エチレンの重合体からなる熱可塑性樹脂で、酸、アルカリ、溶剤に耐え、耐水性、耐寒性がすぐれ、押出し、射出、吹込み、真空成形などの成形加工がきわめて容易である。
ポリプロピレン（ＰＰ）は、プロピレンの重合体からなる熱可塑性樹脂で、引張強さ、衝撃強度にすぐれ、耐熱性、対屈曲疲労強度がよく、加工性がきわめてよい。
【００２４】
紐部材２の両側の先端部３，４は、輪状に折り返されており、リング部５，６が形成されている。この折り返した紐部材２の先端部３，４は、紐部材２の本体部７に溶着されている。
リング部５，６は、ゴルフティーを挿着可能な大きさの径に形成されている。すなわち、リング部５，６を拡径し、ゴルフティーをはめ込んである。このため、リング部５，６は、リング部５，６にゴルフティーを挿着した後に、ゴルフアーがティーショットしてゴルフボールと一緒にゴルフティーを強打しても、ゴルフティーがリング部５，６から離脱しないような径となっている。
【００２５】
紐部材２の両側の先端部３，４の本体部７への固定は、溶着によって行われている。
溶着は、樹脂を接合する技術の一種で、二次加工技術とも呼ばれ、熱可塑性の樹脂部材を融点を超えるまで加熱し、圧力を加えることによって分子レベルで結合させる。溶着には、超音波溶着、振動溶着、誘導溶着、高周波溶着、半導体レーザー溶着、熱溶着、スピン溶着などがある。
【００２６】
ここで、これら各溶接方法について簡単に説明しておく。
超音波溶着は、１５〜５０ｋＨｚ程度の超音波振動を圧力とともに部材に加え生じる摩擦熱で接合する方法である。
振動溶着は、１００〜３００Ｈｚ程度の低い周波数を用いて、振幅の大きい横振動を対象素材に伝えることで非常に強力に溶着させる方法である。
誘導溶着は、電磁誘導コイルを利用して物理的に離れている被誘導体に電流が流れる電磁誘導を用いる方法である。
高周波溶着は、高周波エネルギーの電界作用によって、樹脂部材そのものを内部から発熱させる方法である。
半導体レーザー溶着は、光を通す透過性樹脂と光を吸収する吸収性樹脂を、適度な圧力で重ね合わせレーザーを照射することによって、樹脂が結合することを利用した溶着技術である。
熱溶着は、熱伝導の作用によって加熱する方法である。
スピン溶着は、一方の部材を固定し他方の部材を回転させ加圧し接触面で発生する摩擦熱を利用した溶着方法である。
【００２７】
ゴルフティー装着用紐１のリング部５，６は、使用する材質によって異なるが少し径が伸び縮みするように形成されている。
ゴルフティー装着用紐１のリング部５には、ロングティー１０が挿着されるようになっている。すなわち、ロングティー１０のティー本体１１の先端からゴルフティー装着用紐１のリング部５を図２に示す如く挿入する。そして、ゴルフティー装着用紐１のリング部５をロングティー１０のティー本体１１の上部に向かってスライドさせ、図３に示す如くティー本体１１に形成されているフランジ１２との間の顎部１３に装着する。
【００２８】
このようにして、ロングティー１０は、ゴルフティー装着用紐１のリング部５に装着される。このゴルフティー装着用紐１のリング部５の径は、ロングティー１０の顎部１３の径より若干小径に形成されており、ゴルフティー装着用紐１のリング部５がロングティー１０の顎部１３にきつい状態に装着されている。
このため、ロングティー１０の顎部１３にゴルフティー装着用紐１のリング部５を挿着した際に、ゴルフティー装着用紐１のリング部５がロングティー１０の顎部１３からずり落ちることがないようになっている。
【００２９】
また、ゴルフティー装着用紐１のリング部６には、ショートティー２０が挿着されるようになっている。すなわち、ショートティー２０のゴルフボールを乗せる台座２１側からゴルフティー装着用紐１のリング部６を図４に示す如く挿入する。そして、ゴルフティー装着用紐１のリング部６をティー本体２２に形成されているフランジ２３のに向かってスライドさせ、図５に示す如くティー本体２２に形成されているフランジ２３との台座２３との間に形成される凹み２４に装着する。
【００３０】
このようにして、ショートティー２０は、ゴルフティー装着用紐１のリング部６に装着される。このゴルフティー装着用紐１のリング部６の径は、ショートティー２０の台座２３の径より若干小径に形成されており、ゴルフティー装着用紐１のリング部６がショートティー２０の台座２３をきつい状態で通り抜けて装着されている。
このため、ショートティー２０の台座２３にゴルフティー装着用紐１のリング部６を挿着した際に、ゴルフティー装着用紐１のリング部６がショートティー２０の台座２３から抜け落ちることがないようになっている。
【００３１】
また、ゴルフのプレー中、フェアウェイ上でアイアンクラブでゴルフボールを打ったとき、クラブヘッドで芝を削り取るディボットを生じることがある。このようなディボットに対してゴルファーは、グリーンフォークを用いてディボット後の土を盛り起こして削り取られた芝を戻し，砂とともに埋めるのがマナーとされている。
このため、多くのゴルファーは、ゴルフのプレー中、グリーンフォークを携帯している人が多い。そこで、ゴルフティー装着用紐１のリング部５とリング部６との間の本体部７にグリーンフォーク３０を挿着しておくと便利である。
【００３２】
ゴルフティー装着用紐１の本体部７にグリーンフォーク３０を挿着するに当たっては、まず、図６に示す如く、ゴルフティー装着用紐１のリング部５又はゴルフティー装着用紐１のリング部６をグリーンフォーク３０に形成されている穴３１に挿入して、図７に示す如く、ゴルフティー装着用紐１をグリーンフォーク３０の穴３１に通す。このグリーンフォーク３０は、ゴルフティー装着用紐１において固定されることなく、移動が自在になっている。
このゴルフティー装着用紐１をグリーンフォーク３０の穴３１に通すのは、ロングティー１０のゴルフティー装着用紐１のリング部５への装着、ショートティー２０のゴルフティー装着用紐１のリング部６への装着の前に行い、しかる後、ロングティー１０をゴルフティー装着用紐１のリング部５へ装着し、ショートティー２０をゴルフティー装着用紐１のリング部６に装着する。
【００３３】
このようにすることにより、図８に示す如く、ゴルフティー装着用紐１にグリーンフォーク３０が移動自在に装着され、ゴルフティー装着用紐１のリング部５にロングティー１０が装着され、ゴルフティー装着用紐１のリング部６にショートティー２０が装着されたゴルフティーセットを完成することができる。
【００３４】
この他、本考案は本考案の主旨を変えない範囲で種々変更実施可能なことは勿論である。
【符号の説明】
【００３５】
１………ゴルフティー装着用紐、  ２………紐部材、  ３，４………先端部、  ５，６………リング部、  ７………本体部、  １０………ロングティー、  １１………ティー本体、  １２………フランジ、  １３………顎部、  ２０………ショートティー、  ２１………台座、  ２２………ティー本体、  ２３………フランジ、  ２４………凹み、  ３０………グリーンフォーク、  ３１………穴
【図１】
0003198886.tif 000003
【図２】
0003198886.tif 000004
【図３】
0003198886.tif 000005
【図４】
0003198886.tif 000006
【図５】
0003198886.tif 000007
【図６】
0003198886.tif 000008
【図７】
0003198886.tif 000009
【図８】
0003198886.tif 000010
【手続補正書】
【提出日】平成27年5月27日(2015.5.27)
【手続補正１】
【補正対象書類名】実用新案登録請求の範囲
【補正対象項目名】全文
【補正方法】変更
【補正の内容】
【実用新案登録請求の範囲】
【請求項１】
可撓性及び弾力性を有する紐部材の両端部を輪状に折り返し、前記折り返した前記紐部材の先端部を該紐部材の本体部と溶着し、ゴルフティーを挿着可能な大きさのリング部を形成し、該リング部にゴルフティーを着脱自在に挿着できるように構成する
ことを特徴とするゴルフティー装着用紐。
【請求項２】
請求項１に記載のゴルフティー装着用紐において、
前記紐部材は、塩化ビニル又はオレフィン系樹脂によって構成してなるものである
ことを特徴とするゴルフティー装着用紐。
【請求項３】
請求項１又は２に記載のゴルフティー装着用紐において、
前記紐部材の両端部形成されるリング部のうち、一端側のリング部にはロングティーを挿着し、他端側のリング部にはショートティーを挿着する
ことを特徴とするゴルフティー装着用紐。
【請求項４】
請求項３に記載のゴルフティー装着用紐において、
前記紐部材の前記一端側のリング部と前記他端側のリング部との間にグリーンフォークを移動自在に挿着する
ことを特徴とするゴルフティー装着用紐。
【手続補正２】
【補正対象書類名】明細書
【補正対象項目名】００１０
【補正方法】変更
【補正の内容】
【００１０】
上記課題を解決するためになされた請求項１記載の本考案のゴルフティー装着用紐は、可撓性及び弾力性を有する紐部材の両端部を輪状に折り返し、前記折り返した前記紐部材の先端部を該紐部材の本体部と溶着し、ゴルフティーを挿着可能な大きさのリング部を形成し、該リング部にゴルフティーを着脱自在に挿着できるように構成することを特徴とする。
【手続補正３】
【補正対象書類名】明細書
【補正対象項目名】００１１
【補正方法】変更
【補正の内容】
【００１１】
請求項２記載の本考案のゴルフティー装着用紐は、請求項１に記載のゴルフティー装着用紐において、前記紐部材は、塩化ビニル又はオレフィン系樹脂によって構成してなるものであることを特徴とする。
【手続補正４】
【補正対象書類名】明細書
【補正対象項目名】００１２
【補正方法】変更
【補正の内容】
【００１２】
請求項３記載の本考案のゴルフティー装着用紐は、請求項１又は２に記載のゴルフティー装着用紐において、前記紐部材の両端部形成されるリング部のうち、一端側のリング部にはロングティーを挿着し、他端側のリング部にはショートティーを挿着することを特徴とする。
【手続補正５】
【補正対象書類名】明細書
【補正対象項目名】００１３
【補正方法】変更
【補正の内容】
【００１３】
請求項４記載の本考案のゴルフティー装着用紐は、請求項３に記載のゴルフティー装着用紐において、前記紐部材の前記一端側のリング部と前記他端側のリング部との間にグリーンフォークを移動自在に挿着することを特徴とする。